(57)【要約】      （修正有）【課題】ナンバープレートホルダーに支持される検出器の作動領域を乗物の角の領域にまで拡張すること。【解決手段】センサー、トランスジューサ、マイクロカメラなどのような検出器を支持する支持体付きの乗物用ナンバープレートホルダーであって、少なくとも１対の前記支持体を備え、各支持体は検出器を収容するための中空部によって構成され、前記支持体は、フレーム本体の設置面に対して非平行で、かつ、斜めになった軸に沿って配列され、一方の支持体の軸はフレーム本体の方へ収束して検出器の検出領域がフレーム本体の実質的前方に存在する領域によって本質的に構成され、他方の支持体の軸はフレーム本体から発散して検出器の検出領域が乗物の角の領域によって実質的に構成されることを特徴とする。【選択図】図１
2006182293.tif 000002
【特許請求の範囲】
【請求項１】
乗物に結合する結合手段を備えた実質的に平坦なフレーム本体と、フレーム本体の２つの対向面の一方に形成されたナンバープレート容器と、ナンバープレートをフレーム本体に係止するための係止手段と、フレーム本体の周辺部分の近くに形成されたセンサー、トランスジューサ、マイクロカメラなどのような少なくとも１つの検出器を指示する少なくとも１つの支持体とを備えた、センサー、トランスジューサ、マイクロカメラなどのような検出器を支持する支持体付きの乗物用ナンバープレートホルダーであって、少なくとも１対の前記支持体を備え、各支持体は検出器を収容するための中空部によって構成され、前記支持体は、フレーム本体の設置面に対して非平行で、かつ、斜めになった軸に沿って配列され、一方の支持体の軸はフレーム本体の方へ収束して検出器の検出領域がフレーム本体の実質的前方に存在する領域によって本質的に構成され、他方の支持体の軸はフレーム本体から発散して検出器の検出領域が乗物の角の領域によって実質的に構成されることを特徴とするナンバープレートホルダー。
【請求項２】
中空部は前記支持体の軸を中心に形成された回転固形体のような形状であることを特徴とする請求項１記載のナンバープレートホルダー。
【請求項３】
中空部は実質的に錐台形であることを特徴とする請求項１又は２記載のナンバープレートホルダー。
【請求項４】
中空部はその対向端面にそれぞれ形成された２つの開口を備えることを特徴とする請求項１〜３のいずれか１つに記載のナンバープレートホルダー。
【請求項５】
フレーム本体が実質的に直角四辺形であることを特徴とする請求項１〜４のいずれか１つに記載のナンバープレートホルダー。
【請求項６】
前記対の支持体の軸が、前記フレーム本体の１つの側面に実質的に平行な線に交差することを特徴とする請求項１〜５のいずれか１つに記載のナンバープレートホルダー。
【請求項７】
前記対の支持体の少なくとも一方は、フレーム本体の角の近くに形成されたことを特徴とする請求項１〜６のいずれか１つに記載のナンバープレートホルダー。
【請求項８】
前記対の支持体は、フレーム本体の２つの連続する角の近くに形成されることを特徴とする請求項１〜７のいずれか１つに記載のナンバープレートホルダー。
【請求項９】
少なくとも２対の支持体を備え、それらの支持体がフレーム本体の２つの対向する側に設けられることを特徴とする請求項１〜８のいずれか１つに記載のナンバープレートホルダー。
【請求項１０】
少なくとも２対の支持体を備え、それらの支持体がフレーム本体の２つの隣接する側に設けられることを特徴とする請求項１〜８のいずれか１つに記載のナンバープレートホルダー。
【請求項１１】
複数対の支持体を備え、それらの支持体がフレーム本体の周辺部分に沿って配置されることを特徴とする請求項１〜１０のいずれか１つに記載のナンバープレートホルダー。
【請求項１２】
支持体がフレーム本体に統合され一体化されたことを特徴とする請求項１〜１１のいずれか１つに記載のナンバープレートホルダー。
【請求項１３】
支持体はフレーム本体に少なくとも部分的に形成された凹部であることを特徴とする請求項１〜１２のいずれか１つに記載のナンバープレートホルダー。
【請求項１４】
少なくとも１つのタブを備え、そのタブはフレーム本体の周辺部分に統合され、そのタブに少なくとも一対の支持体が形成されることを特徴とする請求項１〜１３のいずれか１つに記載のナンバープレートホルダー。
【請求項１５】
支持体はタブに少なくとも部分的に埋め込まれていることを特徴とする請求項１４に記載のナンバープレートホルダー。
【請求項１６】
タブはフレーム本体の両端に結合されることを特徴とする請求項１４又は１５に記載のナンバープレートホルダー。
【請求項１７】
タブをフレーム本体に固定する固定手段を備えたことを特徴とする請求項１４〜１６のいずれか１つに記載のナンバープレートホルダー。
【請求項１８】
固定手段が取りはずし可能なタイプのものであることを特徴とする請求項１７記載のナンバープレートホルダー。
【請求項１９】
固定手段がスナップアクションタイプのものであることを特徴とする請求項１７記載のナンバープレートホルダー。
【請求項２０】
スナップアクションタイプの固定手段は２つの弾性ウイングを備え、２つの弾性ウイングは互いに実質的に平行にタブから突出して各々少なくとも１つの保持歯を有し、保持歯はウイングの摺動用の直線ガイドに沿って形成された対応する固定具に、接することによって係合するように適合し、直線ガイドはフレーム本体の中に互いに実質的に平行に形成されることを特徴とする請求項１９記載のナンバープレートホルダー。
【請求項２１】
固定手段がインターロックタイプのものであることを特徴とする請求項１７記載のナンバープレートホルダー。
【請求項２２】
固定手段がねじタイプのものであることを特徴とする請求項１７記載のナンバープレートホルダー。
【請求項２３】
固定手段が係止手段と同じものであることを特徴とする請求項１７記載のナンバープレートホルダー。
【請求項２４】
固定手段が結合手段と同じものであることを特徴とする請求項１７記載のナンバープレートホルダー。
【請求項２５】
結合手段が係止手段と同じものであることを特徴とする請求項２４記載のナンバープレートホルダー。
【請求項２６】
結合手段と係止手段との少なくとも一方がねじ手段からなることを特徴とする請求項２５記載のナンバープレートホルダー。
【請求項２７】
係止手段が汎用タイプのものであることを特徴とする請求項１〜２６のいずれか１つに記載のナンバープレートホルダー。
【請求項２８】
係止手段がねじ手段挿入用の穴やスロットのような複数の開口からなり、ナンバープレート容器の底に形成されることを特徴とする請求項１〜２６のいずれか１つに記載のナンバープレートホルダー。
【請求項２９】
ナンバープレート容器は、種々の形状と寸法を有するナンバープレートを設置するための汎用設置手段を備える請求項１〜２８のいずれか１つに記載のナンバープレートホルダー。
【請求項３０】
汎用設置手段は、リッジ，突出部，タブ，歯のような取りはずし可能な固定具からなり、その固定具はナンバープレート容器の中に形成され、固定具を選択的に除去することによって、異なる形状と表面展開を有するナンバープレート用の配置領域を確保することを特徴とする請求項２９記載のナンバープレートホルダー。
【請求項３１】
フレーム本体から発散する軸を備えた対の支持体に収容された検出器は、格納手段に結合可能で、かつ、乗物の角に関して取得されたデータを処理する格納プログラムに結合可能である請求項１〜３０のいずれか１つに記載のナンバープレートホルダー。
【発明の詳細な説明】
【技術分野】
【０００１】
この発明は、センサー，トランスジューサ，マイクロカメラ等のような検出器用支持体付きナンバープレートホルダーに関する。
【背景技術】
【０００２】
一般に知られた乗物用ナンバープレートホルダーは、乗物のボディ、又は車のバンパー、あるいはオートバイの泥よけに結合する手段と、２つの対向面の一方に形成されフレーム本体にナンバープレートを係止する手段を有するナンバープレート設置用容器とを備えた実質的に平坦なフレーム本体によって本質的に構成される。
【０００３】
公知のナンバープレートホルダーは「汎用」と呼ばれるホルダーを含むが、それは次の理由による。つまり、汎用と呼ばれるナンバープレートホルダーは、種々のタイプおよび／又は寸法を有するナンバープレートに適用可能な係止手段を備え、その係止手段は、例えば種々の形状を有しナンバープレート用容器の底に配置された複数の穴やスロットによって構成され、その穴やスロットにねじ手段を挿入してナンバープレートを固定する。あるいは、その係止手段は弾性押圧タブ又は取りはずし可能なリブや歯によって構成され、それらを除去することによってナンバープレート容器の大きさを変更できるようになっている。
【０００４】
例えば、センサー，トランスジューサ，マイクロカメラ等のような検出器用の支持体を備えた汎用および非汎用型のナンバープレートホルダーは公知である。そのような検出器は、例えば乗物の外側にある対象物を認識してその位置を確認し、対象物又は多の物体との相対距離を測定するのにふさわしい。そして、そのような検出器は、例えば、霧や雨のような低視度で危険な天候条件下で駐車，後退，突進などの操作を行う運転手を助けるために、乗物に装備される発信，警報，制御又は安全器具の一部である。
【０００５】
公知の支持体は、一般にフレーム本体の外周辺部分に沿って配置されるが、固定手段によってフレーム本体に接続される分離タブに一体的に形成されることもできる。
【０００６】
公知のタイプの支持体は、中空の丸いリングのような部材又は口金のような円筒状部材から構成され、支持体の主軸つまり縦軸は、ナンバープレートホルダーのフレーム本体の設置面に対して直角をなしている。従って、検出器の作動領域は、支持体の前にある領域によって、実質的に構成される。
【発明の開示】
【発明が解決しようとする課題】
【０００７】
しかしながら、これらの最近公知のナンバープレートホルダーは、メーカーが標準又は選択アクセサリーとして検出器を提供しない乗物にも検出器を適合させるが、ナンバープレートホルダーが支持する検出器の作動領域の広さと形状が限定され、特に、乗物メーカーによって標準又は選択アクセサリーとして提供される検出器の作動領域とは比較にならないという欠点を有している。
【０００８】
なお、実際、乗物メーカーは、検出器の作動領域が乗物の前方又は後方、および角の領域を含むように、種々の方位を有し、ナンバープレートホルダーの近傍のみならず前および／又は後バンパーに沿って配置された、検出器を収容する複数の支持台を、設計時に準備することができる。
【０００９】
公知のナンバープレートホルダーによって支持される検出器の作動領域は、支持体の方位により支持体の前にある領域によって本質的に構成されるが、乗物の前方又は後方にある領域に実質的に一致し、ナンバープレートホルダーが取り付けられる場所に依存する。従って、運転者にとってほとんどはっきりと見えない乗物の角の領域は、影になったままで、作動領域から除外される。
【００１０】
従って、公知のナンバープレートホルダーは、乗物の移動又は運動中に角領域にある外部対象物を検出できないので、外部対象物に衝突することはありそうなことである。
【００１１】
この発明の目的は、検出器の作動領域の形状を改良しその広さを拡大させ、乗物の角の領域まで検出器を拡張する、センサー，トランスジューサ，マイクロカメラ等のような検出器を支持する支持体付きの乗物用ナンバープレートホルダーを提供することにより、公知のナンバープレートホルダーの上記欠点を除去することである。
【００１２】
この発明の目的は、簡単で、実際に比較的容易に供給でき、使用に安全で、動作が効果的で、比較的低コストである乗物用ナンバープレートホルダーを提供することである。
【課題を解決するための手段】
【００１３】
この発明は、乗物に結合する結合手段を備えた実質的に平坦なフレーム本体と、フレーム本体の２つの対向面の一方に形成されたナンバープレート容器と、ナンバープレートをフレーム本体に係止するための係止手段と、フレーム本体の周辺部分の近くに形成されたセンサー、トランスジューサ、マイクロカメラなどのような少なくとも１つの検出器を指示する少なくとも１つの支持体とを備えた、センサー、トランスジューサ、マイクロカメラなどのような検出器を支持する支持体付きの乗物用ナンバープレートホルダーであって、少なくとも１対の前記支持体を備え、各支持体は検出器を収容するための中空部によって構成され、前記支持体は、フレーム本体の設置面に対して非平行で、かつ、斜めになった軸に沿って配列され、一方の支持体の軸はフレーム本体の方へ収束して検出器の検出領域がフレーム本体の実質的前方に存在する領域によって本質的に構成され、他方の支持体の軸はフレーム本体から発散して検出器の検出領域が乗物の角の領域によって実質的に構成されることを特徴とするナンバープレートホルダーを提供するものである。
【発明の効果】
【００１４】
この発明によれば、検出器用の少なくとも１つの支持体の軸がフレーム本体から発散し検出器の検出領域が乗物の角の領域によって構成されるので、検出器が乗物の角に存在する外部対象物を効率よく検出し、運転者は乗物を安全に運転することができる。
【発明を実施するための最良の形態】
【００１５】
この発明において、中空部は支持体の軸を中心に形成された回転固形体のような形状であってもよいし、実質的に錐台形であってもよい。
また、中空部はその対向端面にそれぞれ形成された２つの開口を備えてもよい。
フレーム本体は、実質的に直角四辺形であってもよい。
この発明において、対の支持体の軸が、フレーム本体の１つの側面に実質的に平行な線に交差してもよい。
前記対の支持体の少なくとも一方は、フレーム本体の角の近くに形成ることが好ましい。
【００１６】
前記対の支持体は、フレーム本体の２つの連続する角の近くに形成されてもよい。
少なくとも２対の支持体を備え、それらの支持体がフレーム本体の２つの対向する側に設けられてもよいし、フレーム本体の２つの隣接する側にてもよい。
複数対の支持体を備え、それらの支持体がフレーム本体の周辺部分に沿って配置されてもよい。
支持体は、フレーム本体に統合されてもよいし、フレーム本体に少なくとも部分的に形成された凹部であってもよい。
【００１７】
少なくとも１つのタブを備え、そのタブはフレーム本体の周辺部分に統合され、そのタブに少なくとも一対の支持体が形成されてもよい。
支持体はタブに少なくとも部分的に埋め込まれてもよい。
タブはフレーム本体の両端に結合てもよい。
タブをフレーム本体に固定する固定手段を備えてもよい。
固定手段が取りはずし可能なタイプのものであってもよいし、スナップアクションタイプのものであってもよい。
【００１８】
スナップアクションタイプの固定手段は２つの弾性ウイングを備え、２つの弾性ウイングは互いに実質的に平行にタブから突出して各々少なくとも１つの保持歯を有し、保持歯はウイングの摺動用の直線ガイドに沿って形成された対応する固定具に、接することによって係合するように適合し、直線ガイドはフレーム本体の中に互いに実質的に平行に形成されてもよい。
固定手段は、インターロックタイプのもの、ねじタイプのもの、係止手段と同じもの、あるいは、結合手段と同じものであってもよい。
また、結合手段は係止手段と同じものであってもよい。
結合手段と係止手段との少なくとも一方がねじ手段から構成されてもよい。
係止手段が汎用タイプのものであってもよい。
【００１９】
係止手段がねじ手段挿入用の穴やスロットのような複数の開口からなり、ナンバープレート容器の底に形成されてもよい。
ナンバープレート容器は、種々の形状と寸法を有するナンバープレートを設置するための汎用設置手段を備えてもよい。
汎用設置手段は、リッジ，突出部，タブ，歯のような取りはずし可能な固定具からなり、その固定具はナンバープレート容器の中に形成され、固定具を選択的に除去することによって、異なる形状と表面展開を有するナンバープレート用の配置領域を確保するようにしてもよい。
フレーム本体から発散する軸を備えた対の支持体に収容された検出器は、格納手段に結合可能で、かつ、乗物の角に関して取得されたデータを処理する格納プログラムに結合可能であってもよい。
【００２０】
以下、図面に示す実施の形態を用いてこの発明を詳述する。
図を参照すると、参照番号１は、センサー，トランスジューサ，又はマイクロカメラ等のような検出器の支持体を備えた乗物ナンバープレートホルダーを全体的に示す。
ナンバープレートホルダー１は、フレーム本体２を備え、プレート本体２はほぼ平坦で、乗物の本体や前又は後バンパーあるいはオートバイの泥よけと結合する手段３を備える。ナンバープレート（図示しない）を収容するための容器４が、フレーム本体２の２つの対向面の一方に設けられ、ナンバープレートは係止手段５によってフレーム本体２に固定される。
【００２１】
安全や警告の信号を発する部品又は公知の制御器の一部であるセンサー、トランスジューサ又はマイクロカメラ等のような検出器を支持する１以上の対の支持体６は、フレーム本体２の周辺部分に沿って形成される。各支持体６は、検出器Ｓを収容するための中空部７を備え、各中空部７の主軸Ａは、フレーム本体の配置平面Ｂに斜めに交差する。
中空部７は、対称主軸Ａの周りに形成された回転固形体のような形状を有し、好ましい実施態様では、  中空部７は錐台形で、検出器を支持するために乗物の外側へ向かって大きい端部を有し、乗物の方に向かって小さい端部を有する。
各開口８と９は中空部７の各対向端又は対向面に形成される。開口８は乗物の外側へ向く面に形成されて、中空部７に収容される検出器を外部環境に結びつける一方、開口９は乗物の方へ向く端に形成されて、検出器を装置又は電源に接続するケーブルを通過させる。
【００２２】
フレーム本体２はほぼ細長い直角四辺形のような形状を有し、その両側には各々一対の支持体が存在する。２対の各々の支持体６の中空部７の主軸Ａは互いに平行ではなく、そこに各々収容される検出器の作動領域（検出領域）が異なる方向に方位づけられている。
特に、各対の２つの中空部７（支持体６）の一方の主軸Ａはフレーム本体２の方へ収束するので検出器の検出領域はフレーム本体のほぼ前にある領域となるが、同じ対の中空部７（支持体６）の他方の主軸Ａはフレーム本体２からその外側へ発散するので検出器の検出領域は乗物のほぼ角の領域となる。
【００２３】
都合のよいことには、一対の２つの支持体６の主軸Ａは、フレーム本体２の一方の側にほぼ平行な線に交差し、同じ対の２つの支持体６はフレーム本体２の２つの連続した角の近くに設けられている。
フレーム本体２の両側に２対の支持体６を配置することによって、作動の合計領域は、各支持体６に収容される検出器の作動（検出）領域の合計となり、フレーム本体２の前にある領域に加えてその周辺領域（上，下，横）も含むように広がる。従って、乗物の角の領域の近くにある外部対象物を確認できる。
【００２４】
しかしながら、他の実施形態では、支持体６の対は数が異なり、フレーム本体２の全周辺部分に沿って、又は連続する両側に沿って配置される。
図に示す実施形態では、ナンバープレートホルダー１は、フレーム本体２の周辺部分に結合又は接続される１つ以上のタブ１０を備え、タブの各々は２つの支持体６を有し、各中空部７には少なくとも部分的に凹部が設けられている。
【００２５】
タブ１０がフレーム本体２の両端に結合又は接続可能であることは、好都合である。
タブ１０は（取りはずし可能な）一時的な固定手段１１、例えばスナップアクションタイプ、インターロックタイプ又はねじ止めタイプの手段によって、フレーム本体２にしっかりと固定される。
固定手段１１を、フレーム本体２を乗物に結合する結合手段３および／又はナンバープレートをフレーム本体２に係止する係止手段５と同じものにすることができるので、好都合である。
【００２６】
図において、固定手段１１はスナップアクション（又はスナップ固定）タイプのものであり、２つの弾性ウイング１２を備える。２つの弾性ウイング１２は、タブ１０の一方の側から互いにほぼ平行に突出し、少なくとも１つの保持歯１３を備え、保持歯１３は、弾性ウイング１２の摺動用直線ガイド１５に沿って形成された対応固定具１４に接することによって係合するようになっており、弾性ウイング１２はフレーム本体２に、互いにほぼ平行に形成されている。
図示しない他の実施形態では、支持体６、つまり中空部７の対が、フレーム本体２に（その側面に沿って）一体化され、フレーム本体２に部分的に凹部が形成される。
【００２７】
ナンバープレートをフレーム本体２に係止する係止手段５を、フレーム本体２を乗物に結合する結合手段３と同じにでき、例えばねじ手段の挿入用穴１６によって構成できるので、好都合である。
係止手段５は、汎用型のものを好適に利用でき、異なる型および／又は寸法を有するナンバープレートに適用できる。とくに、係止手段５は、ナンバープレートをフレーム本体２に係止するねじ手段挿入用の穴１７やスロット１８のような複数の開口を備え、それらの開口は種々の形状を有し、容器４の底に配置される。
【００２８】
ナンバープレートホルダー１は、種々の形状および／又は寸法を有するナンバープレートを配置する汎用手段を備え、その手段は、歯１９，リブ，突出部，タブなどのように容器４に形成される取りはずし可能な固定具により構成される。固定具を選択的に除去することによって、種々の形状および／又は表面拡張を有するナンバープレート用の異なる配置面積が提供される。
【００２９】
フレーム本体２から軸Ａが発散する支持体６に収容された検出器は、都合のよいことに、乗物の角に関して検出されたデータを処理するために格納されたプログラムを有する格納手段ＳＭに結合される。検出器によって検出される乗物の外にある対象物の距離が参照点として設定される乗物の角から出発して計算される。
実際問題として、上記発明は提案された目標と目的を達成したということが見出された。
【００３０】
この発明によるナンバープレートホルダーは、実際、メーカーが標準又は選択アクセサリとしての検出器に、全作動領域が改良された形状と大きさを有する検出器を用意しない乗物に装備される。
特に、この発明によるナンバープレートホルダーは、乗物の前方又は後方の領域に加えて、乗物の角の領域も含むように検出器の作動視野を拡大させる。
【００３１】
この発明によるナンバープレートホルダーは、従って、乗物の角の領域の近くにある外部対象物の存在を検出させ、乗物の運転者の操作を助け、その安全性を増す。
この発明によるナンバープレートホルダーは、製造中の乗物および既に製造された乗物、さらに市場にある乗物のいずれにも適用可能である。
【図面の簡単な説明】
【００３２】
【図１】この発明によるナンバープレートホルダーの端部の正面図である。
【図２】図１のナンバープレートホルダーの端部の側面図である。
【図３】図１のナンバープレートホルダーの端部の上面図である。
【図４】図１のナンバープレートホルダーの端部の底面図である。
【図５】図１のナンバープレートホルダーの端部の線Ｖ−Ｖに沿って切りとった断面図である。
【図６】図１のナンバープレートホルダーの端部の線VI−VIに沿って切りとった断面図である。
【符号の説明】
【００３３】
１  ナンバープレートホルダー
２  フレーム本体
３  結合手段
４  容器
５  係止手段
６  支持体
７  中空部
８  開口
９  開口
１０  タブ
１１  固定手段
１２  ウイング
１３  保持歯
１４  固定具
１５  ガイド
１６  穴
１７  穴
１８  スロット
１９  歯
Ａ  主軸
Ｓ  検出器
Ｂ  配置平面
ＳＭ  格納手段
【図１】
2006182293.tif 000003
【図２】
2006182293.tif 000004
【図３】
2006182293.tif 000005
【図４】
2006182293.tif 000006
【図５】
2006182293.tif 000007
【図６】
2006182293.tif 000008